(57)【要約】      （修正有）【課題】応援時に、応援用具を振るとその遠心力によって、巻紙が棒状に伸びるようにすると供に、該遠心力によって音を発生させ、応援効果を向上させること。【解決手段】先端に蓋１５を備えた棒状又は円錐形状の本体部を有し、振って使用する用具であって、帯状の紙を巻いた伸縮部２０と、前記伸縮部を固着する軸２１と、遠心力によって音を発生する音発生部と、前記用具を振ることによって発生する遠心力によって、前記伸縮部は伸びると共に、前記音発生部より音を発生するように構成する。【選択図】図１
0003103892.tif 000002
【実用新案登録請求の範囲】
【請求項１】
先端に蓋を備えた棒状又は円錐形状の本体部を有し、振って使用する用具であって、帯状の紙を巻いた伸縮部と、前記伸縮部を固着する軸と、遠心力によって音を発生する音発生部と、前記用具を振ることによって発生する遠心力によって、前記伸縮部は伸びると共に、前記音発生部より音を発生することを特徴とした応援用具。
【請求項２】
請求項１において、前記応援用具は、先端が太く後瑞近くが細い棒状であって、野球のバット形状に形成したことを特徴とした応援用具。
【請求項３】
請求項２において、前記応援用具先端には、前記応援用具に回動自在に設けられ着脱不能な蓋が設けたことを特徴とした応援用具。
【請求項４】
請求項２又は３において、前記応援用具の端部には、ストラップ取り付け用の組紐取付け具が設けて構成したことを特徴とした応援用具
【請求項５】
請求項２乃至４のいずれか１項において、前記応援用具は、打球部、把持部、グリップエンド部の三部分を備え、前記打球部には、前記伸縮部が設けられ、前記把持部には、前記音発生部が設けられ、前記グリップエンド部には、前記組紐取付部が設けられていることを特徴とした応援用具。
【考案の詳細な説明】
【技術分野】
【０００１】
本考案は、応援用具に関するものである。
【背景技術】
【０００２】
従来、実開昭５８−４３４９７号公報にあるように、適宜の形状に成型した頭部を有する円筒状筒体の内周面に幅広の紙巻テープの外側端を固着し、該紙巻テープの内側端には、棒状把手を固着し、該紙巻きテープが前記筒体と棒状把手との間を伸縮する如く、紙巻テープの中心部に貫通する弾性糸を筒体と把手との間に介在せしめてなる振り出し玩具があった。
【０００３】
このように玩具の先端部分に、キャラクターを配設した玩具は従来あったが、振り出し時と同時に音が鳴る用具は無く、このような商品が求められていた。また、応援用具などの場合、メガホンなどを利用した音の出る応援用具が従来あるが、このように、音を伴うことによって応援効果を高めることもできるものである。
【特許文献１】実開昭５８−４３４９７号
【考案の開示】
【考案が解決しようとする課題】
【０００４】
そこで、本考案は、上記従来技術の問題点に斯かる実情に鑑みなされたもので、応援時に、応援用具を振るとその遠心力によって、巻紙が棒状に伸びるようにすると供に、該遠心力によって音を発生させ、応援効果を向上させることを課題とする。
【課題を解決するための手段】
【０００５】
本考案は、先端に蓋を備えた棒状又は円錐形状の本体部を有し、振って使用する用具であって、帯状の紙を巻いた伸縮部と、前記伸縮部を固着する軸と、遠心力によって音を発生する音発生部と、前記用具を振ることによって発生する遠心力によって、前記伸縮部は伸びると共に、前記音発生部より音を発生することを特徴とする。
【０００６】
本考案は、請求項１において、前記応援用具は、先端が太く後瑞近くが細い棒状であって、野球のバット形状に形成したことを特徴とする。
【０００７】
本考案は、請求項２において、前記応援用具先端には、前記応援用具に回動自在に設けられ着脱不能な蓋が設けたことを特徴とする。
【０００８】
本考案は、請求項２又は３において、前記応援用具の端部には、ストラップ取り付け用の組紐取付け具が設けて構成したことを特徴とする。
【０００９】
本考案は、請求項２乃至４のいずれか１項において、前記応援用具は、打球部、把持部、グリップエンド部の三部分を備え、前記打球部には、前記伸縮部が設けられ、前記把持部には、前記音発生部が設けられ、前記グリップエンド部には、前記組紐取付部が設けられていることを特徴とする。
【考案の効果】
【００１０】
請求項１の考案によれば、用具を振るとその遠心力によって、巻紙が棒状に伸びるようにすると供に、該遠心力によって音を発生させ、応援効果を向上させることできる。
【００１１】
請求項２の考案によれば、用具の形状が野球のバットの形状で形成されていると、野球観戦時などで、応援効果を向上させることができる。
【００１２】
請求項３の考案によれば、未使用時などに伸縮部が不用意に伸びた状態になることを抑制することが可能であり、また着脱不能することによって、該蓋の紛失を防ぐ効果がある。
【００１３】
請求項４の考案によれば、組紐取付け部にストラップなどを取り付けることによって、使用者は、該首や、手にストラップをかけることができ、使用したい場面などが生じた際に、瞬時に使用することができ、また、応援用具自体の紛失を防止するこうかがある。
【００１４】
請求項５の考案によれば、このように分割できることによって、製品が破損した場合など、破損した部分のみを交換することが可能となると供に、該音発生部などの交換によって、発生させる音を変更することが可能となる。
【考案を実施するための最良の形態】
【００１５】
先端に蓋を備えた棒状又は円錐形状の本体部を有し、振って使用する用具であって、帯状の紙を巻いた伸縮部と、前記伸縮部を固着する軸と、遠心力によって音を発生する音発生部と、を設けて構成した応援用具で、前記応援用具の形状を先端が太く後瑞近くが細い棒状であって、野球のバット形状に形成し、前記応援用具先端には、前記応援用具に回動自在に設けられ着脱不能な蓋と、前記応援用具の端部には、ストラップ取り付け用の組紐取付け具とを構成し、前記応援用具は、打球部、把持部、グリップエンド部の三部分を備え、前記打球部には、前記伸縮部が設けられ、前記把持部には、前記音発生部が設けられ、前記グリップエンド部には、前記組紐取付部が設けられている。
【実施例１】
【００１６】
図１及び２を用いて応援用具の外形と構造を説明する。図１は、実施の例の一例である応援用具１０の外形を示す図である。また、図２は、概応援用具１０を中央から切断した断面を表す図である。
【００１７】
本実施の例の応援用具は、先端が太く後瑞近くが細い棒状形状で、野球のバット形状を模して形成し、概野球のバットをバットの長さを短く形成した形状をしている。応援用具１０の外側の材質は、樹脂で形成されている。応援用具は、該バット形状の先端の一番太い部分からテーパー状になっている部分まで打球部１１で、バット中ほどの細く形成された部分が把持部１２で、該バット形状の端の少し太く形成されている部分がグリップエンド部１３と構成されている。該バット先端の打球部１１には、開口部が設けられ該開口部内に収縮部が設けられている。
【００１８】
該開口部を塞ぐ蓋１５が設けられ、応援用具の打球部１１の先端外周にヒンジ１４が設けられている。該ヒンジ１４に回動自在な蓋１５が設けられている。使用する際には、蓋１５を開けて使用し、使用が終わった際には蓋１５を閉めるとこができる。従来の製品などでは、蓋１５は着脱可能に設けられていた為に、蓋自体を無くすことがあったが、本実施の例の製品では、着脱可能には設けられてはいない為に、蓋１５を無くすことはないようになっている。
【００１９】
また、蓋自体の効果として、不使用時や、搬送時などで、用具を逆さまなどにした場合、巻紙２２がその自重によって伸びるのを抑制することができるようになる。
【００２０】
また、該把持部１２の内部には、音発生部３０が設けられている。該把持部１２は、グリップエンド部１３と分割可能なように構成され、グリップエンド部１３を取り外すことによって、音発生部３０の交換が可能となっている。
【００２１】
また、グリップエンド部１３には、Ｕ型の凸部で形成された組紐取付部１３ａが設けられ、該組紐取付部１３ａにストラップを取り付けることができるようになっている。該ストラップを首や手首から下げられるようにすると、該応援用具を無くさずにすみ、また、使用したい時にすぐに使用することが可能となるようになる。
【００２２】
応援用具の形状及び素材は、この他に、拡声器のメガホンなどの形状にしても構わないし、材質は、木などの木工部材を用いても構わない。
【００２３】
応援用具が野球のバットで形成されていた場合では、その外周面に、応援する球団のシールなどを貼り付けたり、用具自体の色も応援する球団カラーを使用すると、応援効果が向上するようになっている。
【００２４】
本実施の例では、把持部１２外周面に熱収縮チューブを用い用具作成時に、熱収縮チューブに熱を加え、把持部１２外周面に密着するようになっており、該熱収縮チューブの部分が、あたかも、該用具のグリップとなるように形成されている。
【００２５】
音発生部３０の説明を行う。音発生部３０の構造は、円筒形で内部を中空に設けられており、その内部に圧縮バネ３２と、笛３１が設けられている。笛３１は、円筒形に設けられ、笛３１自体の重さを増す為に、その一部に錘（図示しない）が設けられている。笛３１は、該音発生部３０の内部長手方向を滑動自在に設けれ、笛３１の外形と、音発生部３０内形の隙間は殆ど無い状態になっている。また、笛３１の中心には、直径２ｍｍ程度の小さな孔３１ａが設けられている。
【００２６】
音の発生する仕組みとして、笛３１中央に設けられた孔３１ａに圧縮された空気３３を送り込むと、小さな孔３１ａによって空気の渦（カルマン渦）が発生し空気が振動するようになる。この空気の振動により、笛３１が固有振動に共鳴して、音が発生するようになっている。音は、「ピィーピィー」といった音が発生するようになっている。
【００２７】
別の実施の例として、該笛３１の中央部分に弁を設けて構成し、該弁に圧縮された空気３３を送り込むと、圧縮された空気３３の流入によって弁自体が振動し、音を発生するようにすることもできる。また、笛３１が滑動自在に設けられていることから、往路用の弁と、復路用の弁を設けて構成することにより、その弁に種類を変化させることによって、違う音を発生させることができる。
【００２８】
上記の様に笛３１を変更することによって、羊笛・牛笛・ママー笛・犬笛・ヒヨコ笛・バードベル・チャイムなどの様々な音を出すことできる。
【００２９】
本実施の例では、音発生部３０は、把持部１２内では無く、伸縮部２０の巻紙２２外周に固着させても構わない。このように、伸縮部２０の巻紙２２外周に固着させた場合、音発生部３０自体が錘となるために、応援用具を振る動作を行った場合より強い遠心力を得ることができ、伸縮部２０の伸びが良くなる効果を得ることもできる。
【００３０】
遠心力が発生した場合の音発生部３０の動きを説明する。笛３１自体の自重によって、該笛３１は音発生部３０内を滑動する。笛自体の滑動により、音発生部３０内の空気３３は圧縮され、笛３１に設けられた孔３１ａに空気３３が流入し、笛３１より音を発生させるようになっている。
【００３１】
また、笛３１への遠心力がなくなると、笛３１への遠心力によって圧縮されていた圧縮バネ３２がその復元力によって笛３１を押し戻し、笛３１は、再び元の位置へと滑動する。この時に、笛３１の滑動によって、音発生部３０内の空気圧が減少する為に、再び笛３１に設けられた孔３１ａに空気が流入し、音を発生させるようになっている。この一連の動きによって、圧縮バネ３２の収縮・膨張により、２度連続して音がなるようになっている。また、圧縮バネ３２の収縮時の音と、膨張時の音が異なるようになる。これは、笛３１内に流入する空気の圧力が、１回目の音の場合は、遠心力に強さによって、笛３１内に流入する空気圧が異なる為であるが、２回目の音は、圧縮バネ３２による復元力によって、笛３１内に流入する空気圧が決定する為に、２回目の音は、常に一定の音となるようになっている。また、２回の音は、ほぼ連続して発生するため一連の音と聞こえる。
【００３２】
伸縮部２０の説明を行う。伸縮部２０は、方形の紙を軸２１に４０〜５０巻きした巻紙２２であり、その紙質は、巻いた紙同士の摩擦が極力減る様に摩擦の少ない紙を使用している。具体的な紙の材質としてパラフィン紙や、合成樹脂を塗布した紙を用いることが望ましい。該巻紙２２は、応援用具の打球部１１内の中心に設けられた軸２１に巻かれている。
【００３３】
巻紙２２が巻紙自体の自重の遠心力によって伸長するときに巻紙２２の内側部分と外側部分が軸方向にずれて巻紙２２が螺旋状になり中空の逆台形又はタケノコバネが伸びたような棒に形成される。遠心力によって伸びた巻紙２２は、巻き数や、紙の素材等にも影響するが、５倍程度の長さ伸びるようになっている。
【００３４】
巻紙２２に係る遠心力が無くなることによって、巻紙２２がタケノコバネと同様にその復元力によって、再び元の巻紙２２状態となるようになっている。
【００３５】
図３で、応援用具の使用の流れを説明する。まず、図３（Ａ）で示すように、応援用具先端に設けられた蓋１５を開放する。図３（Ｂ）の向きで、使用者はグリップ部を握り、図３（Ｄ）の向きになるように振るように使用する。使用者が振る直前の状態が図３（Ｂ）であるが、この位置では、伸縮部２０は伸縮していない状態で、また、音発生部３０内の笛３１も圧縮バネ３２の力と笛自体の自重によって、グリップエンド側にある。
【００３６】
図３（Ｃ）は、使用者が振りはじめた状態である。この時に、伸縮部２０は、使用者は振りはじめたことによる遠心力によって、軸２１に固着した内側部を残し、伸縮部２０の外側が、軸方向へと伸びはじめる。また、同様に該遠心力によって、音発生部３０の笛３１が、バット先端方向へと滑動をはじめ、音発生部３０内の空気３３が圧縮され、音を発生させるようになる。
【００３７】
図３（Ｄ）は、使用者が、振り終わった状態である。この時に、伸縮部２０は、使用者が振ったことによる遠心力によって、最大に伸びた状態となる。また、音発生部３０内の笛３１は、音発生部３０内のバット先端側に、一旦停止した状態となる為に、音は発生しない。
【００３８】
振り終わった後は、再び、図３（Ｃ）、図３（Ｂ）と推移し、元の位置に戻るようになっている。この時に、伸縮部２０は、タケノコバネと同様に、その復元力によって、元の形状へと復元する。また、音発生部３０では、遠心力を失った笛３１が、圧縮バネ３２の復元力によってグリップエンド方向へと、滑動を始め、滑動する際に、音発生部３０内の空気３３が流入し、音を発生するようになり、圧縮バネ３２が復元を終えると、音発生も停止するようになっている。使用を終了する際には、再び、蓋１５を閉め伸縮部２０が伸びることを防ぐようにする。
【図面の簡単な説明】
【００３９】
【図１】本考案の一実施例である応援用具の外形を示す図である。
【図２】本考案の一実施例である応援用具の中央で切断した斜視断面図である。
【図３】本考案の一実施例である応援用具の使用時の応援用具の状態を示す断面図である。
【符号の説明】
【００４０】
１０    応援用具
１１    打球部
１２    把持部
１３    グリップエンド部
１３ａ  組紐取付部
１４    ヒンジ
１５    蓋
２０    伸縮部
２１    軸
２２    巻紙
３０    音発生部
３１    笛
３１ａ  孔
３２    圧縮バネ
３３    空気
【図１】
0003103892.tif 000003
【図２】
0003103892.tif 000004
【図３】
0003103892.tif 000005